(57)【要約】【課題】  簡便な構造で弁装置のレバーハンドルをロックできる弁ロック装置を提供する。【解決手段】  弁ロック装置１０は、レバーハンドル２２で弁箱２１内の弁体を回動することにより、弁箱２１内の流路を開閉する弁装置２０に対し、レバーハンドル２２の回転をロックすることにより弁体の回転をロックするものである。弁ロック装置１０は、基板１１と、基板１１を弁箱２１に取り付ける取付け部材１２と、基板１１に取り付けられ、レバーハンドル２２の回転をロックするロック部材１３およびロック作動機構１４とを備える。【選択図】  図２
2004278774.tif 000002
【特許請求の範囲】
【請求項１】
レバーハンドルで弁箱内の弁体を回動することにより、前記弁箱内の流路を開閉する弁装置に対し、前記レバーハンドルの回転をロックすることにより前記弁体の回転をロックする弁ロック装置であって、
基体と、
該基体を前記弁箱に取り付ける取付け手段と、
前記基体に取り付けられ、前記レバーハンドルの回転をロックするロック手段とを備えることを特徴とする弁ロック装置。
【請求項２】
前記ロック手段は、
前記レバーハンドルの回転の阻止を行う回転阻止手段と、
前記阻止を行わない位置である阻止解除位置から、前記阻止を行う阻止位置へ前記回転阻止手段の付勢を行う付勢手段とを備えることを特徴とする請求項１に記載の弁ロック装置。
【請求項３】
前記ロック手段は、
前記レバーハンドルの回動の阻止を行う回動阻止手段と、
前記阻止を行わない位置である阻止解除位置から、前記阻止を行う阻止位置へ前記回動阻止手段を付勢する付勢手段と、
前記阻止解除位置に前記阻止手段の保持を行う保持手段であって、前記レバーハンドルが回転して所定方向を向いたときに、前記保持の解除を行う保持手段とを備えることを特徴とする請求項１に記載の弁ロック装置。
【発明の詳細な説明】
【技術分野】
【０００１】
本発明は、レバーハンドルで弁箱内の弁体を回動することにより、前記弁箱内の流路を開閉する弁装置において、前記レバーハンドルの回転をロックすることにより弁体の回転をロックする弁ロック装置に関するものである。
【背景技術】
【０００２】
従来、弁装置のレバーハンドルに不用意に衝突して、レバーハンドルが回転することを防止するために、レバーハンドルをロックし、レバーハンドルを回転させたいときに速やかにロック解除できる弁ロック機構が種々案出されている。
【０００３】
例えば、下記特許文献１には、ステム（弁棒）の突出部分に嵌合したレバーハンドルにより弁体を回して開閉するボール弁が記載されている。該ボール弁において、レバーハンドルより上のステムには、スプリングが圧縮されて設けられている。また、ボデー（弁箱）の上面には、レバーハンドルの可動域を規制するストッパと、弁体が閉の位置でレバーハンドルの係止部が移動不能に嵌まる溝とが設けられている。
【０００４】
上記の構成において、スプリングがレバーハンドルを下降付勢することにより、閉位置のレバーハンドルの係止部が溝内に保持され、これにより、レバーハンドルが閉位置でロックされることになる。また、スプリングの付勢力に抗して係止部を溝内から離間させることにより、ロック状態が解除される。
【０００５】
また、下記特許文献２には、ステムが貫通する回転規制部材を上昇付勢して抜け止め支持し、該回転規制部材を下降させることによりステムの回転を可能にする弁軸の回転・ロック装置が記載されている。該装置において、回転規制部材は、ステム上方に上下動自在で回転不能に嵌合され、ステム上端に固定した抜止め部材で抜け止めされている。回転規制部材の外方には突片が設けられ、ボデー側には、上記突片が嵌合する溝を設けた阻止部材が固定されている。
【０００６】
回転規制部材の突片と阻止部材の溝とは、弁体の開、閉、または設定開度で嵌合して回転規制部材がロックされるようになっている。これにより、回転規制部材と一体に回転するステムが、弁体の開、閉、または設定開度でロックされることになる。また、回転規制部材を下降させることにより、回転規制部材の突片が阻止部材の溝から離間してロック状態が解除される。
【特許文献１】特開２０００−１６１５３１号公報（２０００年６月１６日公開）
【特許文献２】特開２０００−１９３１３４号公報（２０００年７月１４日公開）
【発明の開示】
【発明が解決しようとする課題】
【０００７】
しかしながら、上記特許文献に記載のように、弁装置自体にロック機構を組み込むことは、弁装置の構造を複雑化し、かつ製造工程を増やすことになる。その結果、弁装置が大型化し、製造コストが嵩むことになっていた。
【０００８】
本発明は、上記の問題点を解決するためになされたもので、その目的は、簡便な構造で弁装置のレバーハンドルをロックできる弁ロック装置を提供することにある。
【課題を解決するための手段】
【０００９】
上記の課題を解決するために、本発明に係る弁ロック装置は、レバーハンドルで弁箱内の弁体を回動することにより、前記弁箱内の流路を開閉する弁装置に対し、前記レバーハンドルの回転をロックすることにより前記弁体の回転をロックする弁ロック装置であって、基体と、該基体を前記弁箱に取り付ける取付け手段と、前記基体に取り付けられ、前記レバーハンドルの回転をロックするロック手段とを備えることを特徴としている。
【００１０】
さらに、本発明に係る弁ロック装置は、上記の構成において、前記ロック手段は、前記レバーハンドルの回転の阻止を行う回転阻止手段と、前記阻止を行わない位置である阻止解除位置から、前記阻止を行う阻止位置へ前記回転阻止手段の付勢を行う付勢手段とを備えることを特徴としている。
【００１１】
さらに、本発明に係る弁ロック装置は、上記の構成において、前記ロック手段は、前記レバーハンドルの回動の阻止を行う回動阻止手段と、前記阻止を行わない位置である阻止解除位置から、前記阻止を行う阻止位置へ前記回動阻止手段を付勢する付勢手段と、前記阻止解除位置に前記阻止手段の保持を行う保持手段であって、前記レバーハンドルが回転して所定方向を向いたときに、前記保持の解除を行う保持手段とを備えることを特徴としている。
【発明の効果】
【００１２】
上記のように、本発明に係る弁ロック装置は、基体と、該基体を前記弁箱に取り付ける取付け手段と、前記基体に取り付けられ、前記レバーハンドルの回転をロックするロック手段とを備える構成である。
【００１３】
上記の構成によると、ロック手段によりレバーハンドルの回転がロックされるから、不用意または無意識にレバーハンドルに衝突してレバーハンドルが回転することを防止できるという効果を奏する。また、取付け手段により、通常の弁装置の弁箱に弁ロック装置を着脱可能に取り付けることができるので、弁装置にロック機構を組み込む必要がない。その結果、弁装置の大型化および製造コストの上昇を防止できるという効果を奏する。
【００１４】
ところで、ユーザの用途によっては、弁装置をロックする必要が無い場合もあり、この場合、弁装置自体にロック機構が組み込まれていると、該ロック機構が無駄となる。一方、ユーザが弁装置を実際に利用して初めて、弁装置をロックする必要性が生じる場合もある。
【００１５】
これに対し、本発明に係るロック装置は、既に設置されている弁装置の弁箱にも容易に装着させることができるので、ユーザの要求に応じて、弁装置のロック機構を提供できるという効果を奏する。
【００１６】
さらに、本発明に係る弁ロック装置は、上記の構成において、前記ロック手段は、前記レバーハンドルの回転の阻止を行う回転阻止手段と、前記阻止を行わない位置である阻止解除位置から、前記阻止を行う阻止位置へ前記回転阻止手段の付勢を行う付勢手段とを備える構成である。
【００１７】
ここで、回転阻止手段は、阻止位置と阻止解除位置との間を移動可能に設けられる必要があるが、この移動方法としては、並進移動や回転移動など、任意の移動方法を利用することができる。
【００１８】
上記の構成によると、回転阻止手段は、付勢手段の付勢力により阻止位置に保持されている。したがって、ユーザがレバーハンドルを回転させようとするときには、ユーザが付勢力に抗して回転阻止手段を阻止解除位置に移動させればよく、レバーハンドルの回転阻止を意識的かつ速やかに解除できるという効果を奏する。
【００１９】
さらに、本発明に係る弁ロック装置は、上記の構成において、前記ロック手段は、前記レバーハンドルの回動の阻止を行う回動阻止手段と、前記阻止解除位置から前記阻止位置へ前記回動阻止手段を付勢する付勢手段と、前記阻止解除位置に前記阻止手段の保持を行う保持手段であって、前記レバーハンドルが回転して所定方向を向いたときに、前記保持の解除を行う保持手段とを備える構成である。
【００２０】
ここで、回動阻止手段は、阻止位置と阻止解除位置との間を移動可能に設けられる必要があるが、この移動方法としては、並進移動や回転移動など、任意の移動方法を利用することができる。
【００２１】
なお、本願では、「回転の阻止」とは一方向の回転を阻止することをいい、「回動の阻止」とは双方向の回転を阻止することをいう。
【００２２】
上記の構成によると、レバーハンドルが回転して所定方向を向く場合には、保持手段による回動阻止手段の保持が解除される。このとき、回動阻止手段は、付勢手段の付勢力により阻止解除位置から阻止位置に速やかに移動して、レバーハンドルの回動を阻止する。これにより、レバーハンドルの回動を容易かつ速やかにロックできるという効果を奏する。
【００２３】
また、回動阻止手段は、付勢手段の付勢力により阻止位置に保持されている。したがって、ユーザがレバーハンドルを回動させようとするときには、ユーザが付勢力に抗して阻止手段を阻止解除位置に移動させればよく、レバーハンドルの回動阻止を意識的かつ速やかに解除できるという効果を奏する。さらに、ユーザがレバーハンドルを回動させると、阻止手段が保持手段によって阻止解除位置に保持されて、元の状態に戻る。したがって、再びレバーハンドルが所定方向を向く場合には、レバーハンドルの回動を阻止できるという効果を奏する。
【発明を実施するための最良の形態】
【００２４】
〔実施の形態１〕
以下、本発明の一実施形態について、図１および図２に基づいて説明する。本発明に係る弁ロック装置は、レバーハンドルで弁箱内の弁体を回動することにより、前記弁箱内の流路を開閉する弁装置であれば、ボール弁、仕切り弁、コック、バタフライ弁など任意の弁装置に適用可能である。
【００２５】
図１は、本実施形態の弁ロック装置を分解した各構成を示している。また、図２は、図１に示される各構成を組み立てた弁ロック装置が弁装置に取り付けられた状態を示している。図２に関して、同図（ａ）は、レバーハンドル２２のロックが解除されたロック解除状態を示しており、同図（ｂ）は、レバーハンドル２２がロックされたロック状態を示している。
【００２６】
なお、以下では、弁ロック装置および弁装置の方向は、図２の上側を「前側」とし、同図の表面側を「上側」とする。また、レバーハンドル２２および作動レバー５２の回転方向（右回り・左回り）は、上方からみた回転方向とする。
【００２７】
図２に示されるように、弁装置２０は、弁箱２１と、弁箱２１内の弁体（図示せず）を回動させるレバーハンドル２２とを備える構成である。レバーハンドル２２には、取っ手部の反対側に凸部２３が突き出て設けられている。
【００２８】
本実施形態の弁ロック装置１０は、基板（基体）１１と、基板１１を弁装置２０の弁箱２１に取り付けるＵ字状の取付け部材（取付け手段）１２と、弁装置２０のレバーハンドル２２をロックするロック部材（ロック手段）１３と、レバーハンドル２２が閉位置に回転すると、ロック部材１３を作動させるロック作動機構（ロック手段）１４とを備える構成である。以下、各構成について順に詳述する。
【００２９】
図２に示されるように、弁ロック装置１０は、レバーハンドル２２の前側から右側にかけて配備されている。このため、レバーハンドル２２の可動領域と重なる基板１１の後部中央から左側が切り欠かれて、切欠き部３０が形成されている。また、基板１１の前部中央および前部左側には、取付け部材１２の両端が貫通する貫通孔３１・３２が設けられている。
【００３０】
また、基板１１の後部右側には、ロック部材１３を左右方向にスライド可能に取り付けるための長孔３３が、左右方向に延びている。また、基板１１の中央部には、後記するロック部材１３の係止部が摺動する溝孔３４が、左右方向に延びており、切欠き部３０に連通している。
【００３１】
また、基板１１の右部には、ロック作動機構１４の各種構成が取り付けられる軸ピン３５、ストッパピン３６、軸孔３７、および止め片３８が設けられる。なお、前記構成要素３５〜３８の基板１１上での位置関係については後述する。
【００３２】
次に、取付け部材１２の前記両端部にはネジ山が形成されている。取付け部材１２は、中央部が弁箱２１に沿って配備され、両端部が基板１１の貫通孔３１・３２を貫通して、ナット４０・４１により螺合される。これにより、基板１１が弁箱２１に固定される。
【００３３】
次に、ロック部材１３には、板部４２が配備され、板部４２の右側には、ボルト４４が貫通する貫通孔４３が設けられる。ボルト４４は、上方から板部４２の貫通孔４３を貫通し、スペーサとして機能するナット４５と螺合または貫通し、ワッシャ４６を貫通し、基板１１の長孔３３を貫通した後、ナット４７・４８と螺合する。これにより、ロック部材１３は、基板１１の長孔３３の長手方向、すなわち左右方向にスライド可能に取り付けられる。
【００３４】
さらに、基板１１へのロック部材１３の取付けを、ボルト４４に２個のナット４７・４８を螺合することにより行っているので、ナットが強く締まることを防止できる。これにより、ロック部材１３を滑らかにスライドさせることができるとともに、板部４２と基板１１との間隔を一定に保持することができる。
【００３５】
なお、ボルト４４に２個のナット４７・４８を螺合する代わりに、ボルト４４にナット４８を所定の間隔で溶接し、該間隔に変動が生じないようにさせてもよい。このように、板部４２が基板１１に対して所定の間隔でスライド可能であるならば、板部４２を基板１１に取り付ける任意の取付け手段を利用することができる。
【００３６】
また、板部４２の前端部左側には、レバーハンドル２２の凸部２３を係止する係止部（回動阻止手段）５０が配備される。係止部５０は、板部４２から下方に突出して設けられ、ロック部材１３が基板１１に取り付けられた場合には、基板１１の溝孔３４を摺動するように設けられる。さらに、係止部５０は、ロック部材１３が基板１１に対して左側にスライドした場合には、一部が切欠き部３０から突出し、右側にスライドした場合には、溝孔３４に収容されるように設けられる。
【００３７】
また、板部４２の中央部には、当接ピン５１（保持手段）が下方に突出して設けられる。当接ピン５１は、ロック部材１３が基板１１に対して右側にスライドした場合には、後記する作動レバーの右端面に当接するように設けられる。
【００３８】
次に、ロック作動機構１４には、作動レバー（保持手段）５２と、２つのトーションコイルバネ５３・５４とが配備される。作動レバー５２は、基板１１の軸ピン３５に回動自在に支持される。
【００３９】
また、作動レバー５２が左端部前面にてレバーハンドル２２の凸部２３と当接し、右端面にてロック部材１３の当接ピン５１と当接するように、作動レバー５２、軸ピン３５、および当接ピン５１が配置される。また、作動レバー５２は、レバーハンドル２２の凸部２３と当接し易いように、左端部が下方に屈曲しており、ロック部材１３の当接ピン５１と当接し易いように、右端部が後側に延在している。
【００４０】
また、作動レバー５２の長手方向が左右方向である位置から、作動レバー５２が右回りに回転することを防止するストッパピン３６が、基板１１上における軸ピン３５の左前近傍に配備されている。
【００４１】
また、トーションコイルバネ（保持手段）５３は、コイル部が軸ピン３５に嵌合し、その上に作動レバー５２が嵌合するように配置される。トーションコイルバネ５３は、一端が作動レバー５２の右端部前面に当接し、他端がストッパピン３６の右側に当接する。これにより、トーションコイルバネ５３は作動レバー５２を右回りに付勢することになる。
【００４２】
また、トーションコイルバネ（付勢手段）５４は、そのコイル部をボルト５５が貫通し、該ボルト５５が、貫通孔３２の右側に開設された軸孔３７を貫通して、図示しないナットと螺合している。トーションコイルバネ５４は、一端がロック部材１３の係止部５０の右端に当接し、他端が、軸孔３７の右側に設けられた止め片３８の後側に当接している。これにより、トーションコイルバネ５４は、ロック部材１３を左方向に付勢することになる。
【００４３】
上記の構成において、レバーハンドル２２を図２（ａ）に示される向きから、同図（ｂ）に示される向きに回転させると、レバーハンドル２２の凸部２３が作動レバー５２に当接して、作動レバー５２が左回りに回転する。これにより、作動レバー５２の右端面からロック部材１３の当接ピン５１が離間するので、トーションコイルバネ５４の付勢力によりロック部材１３が左方向に移動する。このとき、ロック部材１３の係止部５０が、基板１１の切欠き部３０から突出して、レバーハンドル２２の凸部２３を係止する。これにより、レバーハンドル２２がロックされるので、不用意に動かされることを防止する。
【００４４】
次に、ユーザがロック部材１３を右側に移動させる。このとき、ロック部材１３の係止部５０が基板１１の溝孔３４に収容されるから、レバーハンドル２２のロック状態が解除される。そして、レバーハンドル２２を左回りに回転させると、レバーハンドル２２の凸部２３は、作動レバー５２から離間する。このとき、トーションコイルバネ５３の付勢力により、作動レバー５２が右回りに回転して、作動レバー５２の右端面にロック部材１３の当接ピン５１が当接する。これにより、ユーザがロック部材１３を離しても、ロック部材１３が右側に保持され、図２（ａ）に示される状態に戻る。
【００４５】
したがって、本実施形態の弁ロック装置１０は、ロック部材１３の係止部５０がレバーハンドル２２の回転を阻止することにより、人や物が不用意にレバーハンドル２２に衝突してレバーハンドル２２が回転することを防止できる。また、弁ロック装置１０は、取付け部材１２によって、通常の弁装置２０の弁箱２１に着脱可能に取り付けられるので、弁装置２０にロック機構を組み込む必要がない。その結果、弁装置２０の大型化および製造コストの上昇を防止することができる。
【００４６】
また、ユーザがレバーハンドル２２を回転させようとするときには、ロック部材１３の係止部５０を溝孔３４に収容するように、ユーザがトーションコイルバネ５４の付勢力に抗してロック部材１３を右方向に移動させればよく、レバーハンドル２２の回転阻止を意識的かつ速やかに解除することができる。
【００４７】
また、ロック部材１３がレバーハンドル２２の近くに配置されているので、例えば、レバーハンドル２２を左手で順手に握り、左手の親指がロック部材１３の左端に当接してロック部材１３を右方向に移動させることにより、ロックの解除とレバーハンドル２２の回転とを片手で容易に行うことができる。
【００４８】
なお、本実施形態では、ロック部材１３の係止部５０は、レバーハンドル２２が左回りに回転することを阻止しているが、例えば、弁ロック装置１０および弁装置２０が図２（ａ）に示されるような状態であるときに、作動レバー５２を作動させて、ロック部材１３を左側に移動させると、ロック部材１３の係止部５０は、レバーハンドル２２が右回りに回転することを阻止することができる。この場合、弁装置２０が不用意に閉じることを防止することができる。
【００４９】
このように、本実施形態の弁ロック装置１０は、ロック作動機構１４を適宜変更することにより、レバーハンドル２２の左回りおよび右回りの回転、すなわち回動を阻止することができる。
【００５０】
〔実施の形態２〕
次に、本発明の他の実施形態について、図３〜図８に基づいて説明する。図３は、本実施形態の弁ロック装置を分解した各構成を示しており、図４は、弁ロック装置におけるロック部材を分解した各構成を示している。なお、本実施形態の弁ロック装置が取り付けられる弁装置は、図２に示される弁装置２０と同様の構成であるので、同一の符号を付して、その説明を省略する。
【００５１】
図５〜図８は、図３および図４に示される各構成を組み立てた弁ロック装置が弁装置に取り付けられた状態を示している。このうち、図５および図６は、レバーハンドル２２が開位置から右向きに４５度回転した状態を示しており、図７および図８は、レバーハンドル２２が右向きに９０度回転して閉位置に達した状態を示している。さらに、図８に関して、同図（ａ）は、レバーハンドル２２がロックされたロック状態を示しており、同図（ｂ）は、レバーハンドル２２のロックが解除されたロック解除状態を示している。
【００５２】
なお、以下では、弁ロック装置および弁装置の方向は、図５および図７の上側を「前側」とし、同図の表面側を「上側」とする。また、レバーハンドル２２の回転方向（右回り・左回り）は、上方からみた回転方向とし、後記するロック部材６３の可動板９０の回転方向は、後方から見た回転方向とする。
【００５３】
本実施形態の弁ロック装置６０は、逆Ｌ字状の基板（基体）６１と、基板６１を弁装置２０の弁箱２１に取り付ける取付け部材（取付け手段）６２と、弁装置２０のレバーハンドル２２をロックするロック部材（ロック手段）６３とを備える構成である。以下、各構成について順に詳述する。
【００５４】
基板６１は、前部と右側部とからなる。基板６１の前部には、取付け部材６２を取り付けるためにボルトが貫通する貫通孔７０・７１が設けられている。また、基板６１の右側部の中央には、ロック部材６３の可動板が左下方へ傾斜するための傾斜溝７２が設けられている。また、基板６１の右側部の前側および後側には、ロック部材６３を取り付けるためにボルトが貫通する貫通孔７３〜７６が設けられている。
【００５５】
次に、取付け部材６２は、コ字状に形成された板状部材であり、その両端に、基板６１に取り付けられるために外側に延在した延在部８０・８１を有している。延在部８０・８１には、ネジ孔８２・８３がそれぞれ設けられている。取付け部材６２は、コ字状の中央部が弁箱２１に沿って配備され、ボルト８４が基板６１の貫通孔７０を貫通して延在部８０のネジ孔８２に螺合するとともに、ボルト８４が基板６１の貫通孔７１を貫通して延在部８１のネジ孔８３に螺合する。これにより、基板６１が弁箱２１に固定される。なお、ネジ孔８２・８３を貫通孔として、ボルト８４・８５をナットで螺合してもよい。
【００５６】
次に、ロック部材１３は、可動板（回転阻止手段）９０と、可動板９０を回動可能に支持する固定板９１・９２と、可動板９０を左回りに付勢するトーションコイルバネ（付勢手段）９３とを備える。可動板９０は、左前方下部の頂点を切り欠くことにより傾斜部９４が形成されている。また、可動板９０の前面中央部および後面中央部には、回転軸となる軸ピン９５・９６がそれぞれ突設されている。
【００５７】
また、固定板９１は、可動板９０の前方に配置され、固定板９１の後面には、嵌合穴９７が設けられ、該嵌合穴９７に可動板９０の軸ピン９５が回動可能に嵌合している。さらに、固定板９１には、基板６１に取り付けるためのネジ孔９８・９９が設けられている。
【００５８】
同様に、固定板９２は、可動板９０の後方に配置され、固定板９２の前面には、嵌合穴１００が設けられ、該嵌合穴１００に可動板９０の軸ピン９６が回動可能に嵌合している。さらに、固定板９２には、基板６１に取り付けるためのネジ孔１０１・１０２が設けられている。
【００５９】
また、トーションコイルバネ９３は、そのコイル部が軸ピン９６に嵌合し、一端が可動板９０の上面左側に当接し、他端が基板６１の上面に当接している。これにより、トーションコイルバネ９３は、可動板９０を左回りに付勢することになる。
【００６０】
上記構成のロック部材６３は、可動板９０が基板６１の傾斜溝７２に収容されるように、基板６１の上面に配置される。
【００６１】
次に、ボルト１０３が基板６１の貫通孔７３を貫通して固定板９１のネジ孔９８に螺合するとともに、ボルト１０４が基板６１の貫通孔７４を貫通して固定板９１のネジ孔９９に螺合する。これにより固定板９１が基板６１に取り付けられる。なお、ネジ孔９８・９９を貫通孔として、ボルト１０３・１０４をナットで螺合してもよい。
【００６２】
同様に、ボルト１０５が基板６１の貫通孔７５を貫通して固定板９２のネジ孔１０１に螺合するとともに、ボルト１０６が基板６１の貫通孔７６を貫通して固定板９２のネジ孔１０２に螺合する。これにより固定板９２が基板６１に取り付けられる。なお、ネジ孔１０１・１０２を貫通孔として、ボルト１０５・１０６をナットで螺合してもよい。
【００６３】
このとき、トーションコイルバネ９３が可動板９０を左回りに付勢するので、可動板９０の左側は、下方に傾斜して、レバーハンドル２２の凸部２３と当接することになる。
【００６４】
上記の構成の弁装置２０および弁ロック装置６０において、レバーハンドル２２が図５に示される向きに回転すると、図６に示されるように、レバーハンドル２２の凸部２３がロック部材６３の可動板９０の傾斜部９４に当接する。このとき、トーションコイルバネ９３の付勢力に抗して、レバーハンドル２２に右回りの力を加えると、可動板９０が回転して傾斜部９４が上方に移動し、これにより、レバーハンドル２２をさらに右回りに回転させることができる。
【００６５】
そして、レバーハンドル２２が図７に示される向きに回転すると、レバーハンドル２２の凸部２３が可動板９０から離間するので、図８（ａ）に示されるように、トーションコイルバネ９３の付勢力により可動板９０が回転して傾斜部９４が下方に移動する。このとき、レバーハンドル２２の凸部２３が可動板９０の後面と当接するので、レバーハンドル２２が左回りに回転することを防止する。これにより、レバーハンドル２２がロックされるので、不用意に動かされることを防止する。
【００６６】
次に、ユーザが、トーションコイルバネ９３の付勢力に抗して、可動板９０の右側を下方に押圧すると、図８（ｂ）に示されるように、可動板９０が回転して、可動板９０の傾斜部９４が上方に移動する。これにより、レバーハンドル２２のロック状態が解除され、レバーハンドル２２を左回りに回転することができる。
【００６７】
したがって、本実施形態の弁ロック装置６０は、ロック部材６３の可動板９０がレバーハンドル２２の左回転を阻止することにより、人や物が不用意にレバーハンドル２２に衝突してレバーハンドル２２が回転することを防止できる。また、弁ロック装置６０は、取付け部材６２によって、通常の弁装置２０の弁箱２１に着脱可能に取り付けられるので、弁装置２０にロック機構を組み込む必要がない。その結果、弁装置２０の大型化および製造コストの上昇を防止することができる。
【００６８】
また、ユーザがレバーハンドル２２を左回りに回転させようとするときには、ロック部材６３の可動板９０が回転してその左側が上方に移動するように、ユーザがトーションコイルバネ５４の付勢力に抗して可動板９０の右側を下方へ押圧すればよく、レバーハンドル２２の回転阻止を意識的かつ速やかに解除することができる。
【００６９】
また、本実施形態の弁ロック装置６０では、レバーハンドル２２を右回りに回転する場合、レバーハンドル２２の凸部２３が可動板９０の前面ではなく可動板９０の傾斜部９４と当接するので、右回りの回転が阻止されない。したがって、レバーハンドル２２の回転を阻止しない阻止解除位置に可動板９０を保持する保持手段を設ける必要がない。
【００７０】
また、ロック部材６３がレバーハンドル２２の近くに配置されているので、例えば、レバーハンドル２２を右手で順手に握り、右手の小指が可動板９０の右側を押し下げることにより、ロックの解除とレバーハンドル２２の回転とを片手で容易に行うことができる。
【００７１】
最後に、上記の実施形態は、本発明の範囲を限定するものではなく、本発明の範囲内で種々の変更が可能であり、例えば、以下のように構成することができる。
【００７２】
上記実施形態では、レバーハンドル２２が、図２（ｂ）および図７に示される閉位置にあるときに、レバーハンドル２２の回転阻止を行っている。しかしながら、図２（ａ）に示される開位置にあるときにレバーハンドル２２の回転阻止を行ってもよく、さらには、所定の回転位置でレバーハンドル２２の回転阻止を行ってもよい。
【００７３】
また、上記実施形態では、ロック部材１３の係止部５０やロック部材６３の可動板９０が係止するレバーハンドル２２の凸部２３は、レバーハンドル２２の取っ手部の反対側に設けられている。しかしながら、レバーハンドル２２の凸部２３をレバーハンドル２２の任意の位置に配備し、該位置に応じてロック部材１３およびロック作動機構１４やロック部材６３を配備してもよい。
【００７４】
さらには、レバーハンドル２２に凸部２３を設けることなく、レバーハンドル２２の取っ手部をロック部材１３の係止部５０やロック部材６３の可動板９０が係止するように、ロック部材１３およびロック作動機構１４やロック部材６３を配備してもよい。このように、レバーハンドル２２の回転を阻止する任意の公知手段を利用することができる。
【００７５】
また、上記実施形態では、ロック部材１３・６３を付勢する付勢手段としてトーションコイルバネ５４・９３を利用しているが、板バネ、スプリングバネ、ゴムなど公知の弾性体を利用することができる。
【産業上の利用可能性】
【００７６】
以上のように、本発明に係る弁ロック装置は、弁装置のレバーハンドルが不用意に回転することを防止する装置として有用であり、特に、弁ロック機構を有していない弁装置に用いるのに適している。
【図面の簡単な説明】
【００７７】
【図１】本発明の一実施形態である弁ロック装置の概略構成を示す分解組立図である。
【図２】上記弁ロック装置を弁装置に取り付けた状態を示す平面図であり、同図（ａ）はレバーハンドルが開位置にある状態を示しており、同図（ｂ）はレバーハンドルが閉位置にあってロックされている状態を示している。
【図３】本発明の他の実施形態である弁ロック装置の概略構成を示す分解組立図である。
【図４】上記弁ロック装置におけるロック部材の概略構成を示す分解組立図である。
【図５】上記弁ロック装置を弁装置に取り付けた状態を示す平面図であり、レバーハンドルが開位置から右向きに４５度回転した状態を示している。
【図６】図５に示されるＡ−Ａ線で断面し、矢印方向から見た図である。
【図７】上記弁ロック装置を弁装置に取り付けた状態を示す平面図であり、レバーハンドルが開位置から右向きに９０度回転して閉位置に達した状態を示している。
【図８】図７に示されるＡ−Ａ線で断面し、矢印方向から見た図であり、同図（ａ）はレバーハンドルがロックされている状態を示しており、同図（ｂ）はレバーハンドルのロックが解除されたロック解除状態を示している。
【符号の説明】
【００７８】
１０・６０    弁ロック装置
１１・６１    基板（基体）
１２・６２    取付け部材（取付け手段）
１３・６３    ロック部材（ロック手段）
１４    ロック作動機構（ロック手段）
２０    弁装置
２１    弁箱
２２    レバーハンドル
５０    係止部（回動阻止手段）
５１    当接ピン（保持手段）
５２    作動レバー（保持手段）
５３    トーションコイルバネ（保持手段）
５４    トーションコイルバネ（付勢手段）
９０    可動板（回転阻止手段）
９３    トーションコイルバネ（付勢手段）
【図１】
2004278774.tif 000003
【図２】
2004278774.tif 000004
【図３】
2004278774.tif 000005
【図４】
2004278774.tif 000006
【図５】
2004278774.tif 000007
【図６】
2004278774.tif 000008
【図７】
2004278774.tif 000009
【図８】
2004278774.tif 000010